(57)【要約】データ処理装置又はシステム用グラフィカルユーザインタフェースは、複数のページにおいて配置された複数のメニューオプションを有する。前記メニューオプションを、ユーザ履歴にしたがって前記ページ間に動的に分配し、前記オプション間のユーザナビゲーションの労力を減少する。動的に適用可能なＧＵＩは、リモートコントロール、インターネットポータル、又は、電子商取引サイトに関係する。【特許請求の範囲】
【請求項１】
データ処理システムにおいて、
複数のメニューオプションとのユーザ対話を可能にするグラフィカルユーザインタフェース（ＧＵＩ）を有するディスプレイと、
前記ＧＵＩにおけるメニューオプションを自動的かつ動的に配置し、前記オプション間のユーザナビゲーションを減少するアダプタとを具えることを特徴とするデータ処理システム。
【請求項２】
請求項１に記載のデータ処理システムにおいて、
前記ＧＵＩが、複数のページを具え、
前記アダプタが、前記メニューオプションの特定のものを、前記複数のページの特定のものに動的に配置することを特徴とするデータ処理システム。
【請求項３】
請求項１に記載のデータ処理システムにおいて、前記アダプタが、前記メニューオプションを、前記ＧＵＩとのユーザ対話の履歴にしたがって配置することを特徴とするデータ処理システム。
【請求項４】
請求項１に記載のデータ処理システムにおいて、前記アダプタが、前記メニューオプションを、ユーザプロファイルにしたがって配置することを特徴とするデータ処理システム。
【請求項５】
請求項１に記載のデータ処理システムにおいて、前記アダプタが、複数のユーザのそれぞれ個々のものに関する前記メニューオプションの個々の再配置をすることができることを特徴とするデータ処理システム。
【請求項６】
請求項５に記載のデータ処理システムにおいて、前記ＧＵＩが、前記アダプタが前記複数のユーザ間の識別をできるようにすするユーザ識別セレクタを具えることを特徴とするデータ処理システム。
【請求項７】
請求項６に記載のデータ処理システムにおいて、前記ユーザ識別セレクタが、前記ディスプレイにおける予め決められた位置において、前記複数のユーザの個々に関する個々のユーザ選択可能表現を具えることを特徴とするデータ処理システム。
【請求項８】
請求項２に記載のデータ処理システムにおいて、前記アダプタが、前記メニューオプションの第１及び第２のものを、グループとして、前記複数のページの１つのものに割り当てることを特徴とするデータ処理システム。
【請求項９】
請求項１に記載のデータ処理システムにおいて、前記ＧＵＩによる家電設備のユーザ制御用リモートコントロール部を具えることを特徴とするデータ処理システム。
【請求項１０】
複数のユーザ選択可能オプションを有するメニューを有するＧＵＩを構成するソフトウェアにおいて、該ソフトウェアが、前記ＧＵＩを、個々のユーザに関して、前記オプション間のユーザナビゲーションを減少するために前記ＧＵＩにおけるメニューオプションを自動的かつ動的に配置することによって、動的に個別化するように動作することを特徴とするソフトウェア。
【請求項１１】
請求項１０に記載のソフトウェアにおいて、
前記ＧＵＩが、複数のページを具え、
該ソフトウェアが、前記メニューオプションの特定のものを、前記複数のページの特定のものに動的に割り当てることを特徴とするソフトウェア。
【請求項１２】
請求項１０に記載のソフトウェアにおいて、前記動的個別化が、前記ＧＵＩと対話する個々のユーザのユーザ履歴に依存することを特徴とするソフトウェア。
【請求項１３】
ＧＵＩを動的に個別化することを可能にする方法において、該方法が、
前記ＧＵＩの操作上の使用中、ユーザプロファイルを決定するステップと、
前記ＧＵＩを前記ユーザプロファイルに応じて自動的かつ動的に形成するステップとを含むことを特徴とする方法。
【請求項１４】
請求項１３に記載の方法において、前記ユーザプロファイルを決定するステップが、前記ＧＵＩとの対話のユーザ履歴を決定するステップを含むことを特徴とする方法。
【請求項１５】
請求項１３に記載の方法において、
前記ＧＵＩが、複数の選択可能な対話項目を具え、
前記ＧＵＩが、複数のページを具え、
前記形成するステップが、前記メニューオプションの特定のものを、前記複数のページの特定のものに割り当てるステップを含むことを特徴とする方法。
【請求項１６】
請求項１３に記載の方法において、
前記ユーザプロファイルを、サーバに格納し、
前記ＧＵＩを、制御装置にダウンロードするために、前記サーバにおいて形成することを特徴とする方法。
【請求項１７】
家電設備を制御するリモートコントロール装置において、該装置が、メニューとのユーザ対話を可能にするＧＵＩの表示用のディスプレイを具え、前記ＧＵＩを、前記設備を制御するユーザによる該装置の操作上の使用に基づいて、ユーザに対して自動的かつ動的に個別化可能としたことを特徴とするリモートコントロール装置。
【請求項１８】
請求項１７に記載のリモートコントロール装置において、前記ＧＵＩの自動的かつ動的個別化用アダプタを具えることを特徴とするリモートコントロール装置。
【請求項１９】
請求項１８に記載のリモートコントロール装置において、
前記メニューが、複数のメニューオプション及び複数のページを有し、
前記アダプタが、前記メニューオプションの特定のものを、前記複数のページの特定のものに割り当てることを特徴とするリモートコントロール装置。
【請求項２０】
請求項１７に記載のリモートコントロール装置において、
前記設備が、前記ＧＵＩの自動的かつ動的個別化用アダプタを具え、
該装置が、前記ＧＵＩを前記設備から受ける入力部を有することを特徴とするリモートコントロール装置。
【発明の詳細な説明】
【０００１】
関連出願
本願は、参照によってここに含まれる１９９９年１１月４日に出願された米国特許出願第０９／４３４１５５号の一部継続出願である。以下の特許出願も、参照によってここに含まれる。
１９９８年４月１７日に出願された米国出願番号第０９／０６２３６４号
１９９８年８月４日に出願された米国出願番号第０９／１２８８３９号
１９９８年８月５日に出願された米国出願番号第０９／１２９３００号
１９９９年３月１７日に出願された米国出願番号第０９／２７１２００号
１９９９年５月１３日に出願された米国出願番号第０９／３１１１２８号
１９９８年１２月１１日に出願された米国出願番号第０９／２１０４１６号
１９９８年１２月２１日に出願された米国出願番号第０９／２１７４１４号
２０００年４月６日に出願された米国出願番号第０９／５４４６６６号
米国特許第５９５６０２５号
【０００２】
発明の分野
本発明は、データ処理装置と共に使用するユーザインタフェースに関し、特に、このようなユーザインタフェース内のメニューオプション構成に関する。
【０００３】
背景技術
ユーザインタフェース（ＵＩ）、例えばグラフィカルユーザインタフェース（ＧＵＩ）は、対話型装置のユーザフレンドリーさ及びユーザ有効性を決定する。例えば、ＧＵＩは、ユーザを、コマンド言語を使用することから開放する。これは、特に、家電（ＣＥ）環境における装置に関係する。
【０００４】
このようなＣＥ設備の例は、フィリップスエレクトロニクスによって製造されたＰＲＯＮＴＯ（商標）である。ＰＲＯＮＴＯ（商標）は、１９９８年の９月に市場に投入された万能プログラム可能リモートコントロール部であり、タッチスクリーン上にメニューオプションとして絵的に表示された大部分の機能選択ボタンを有する。前記メニューオプションを、一度に１つ検索可能で表示可能ないくつかのページ間に分配することができる。ユーザは、ＰＲＯＮＴＯ（商標）を、ハードキー及びソフトボタンに割り当てられたＩＲ及び／又はＲＦコードに関してと、どのキーをどのページにおいて提供するかに関して、完全にプログラムすることができる。ＰＲＯＮＴＯ（商標）についてのさらなる情報を、ウェブサイト＜ｈｔｔｐ：／／ｗｗｗ．ｐｒｏｎｔｏ．ｐｈｉｌｉｐｓ．ｃｏｍ＞において見ることができる。
【０００５】
発明の要約
複数のページを含む固定されたグラフィカルユーザインタフェースの欠点は、消費者が、所望のメニューオプションを見つけようとして前記ページを通じて走査するのに長い時間を費やすかもしれないことである。ＰＲＯＮＴＯ（商標）は、ユーザが、自由にメニューオプションを構成し、前記ページを配列することができることにおいて改善したものである。本発明は、これをさらに一段階進め、前記ＵＩをユーザの便利さに関して高める。さらに、本発明の目的の１つは、さらによりユーザフレンドリーなＵＩを提供することである。
【０００６】
この目的のため、本発明は、動作をアダプタによって管理するＵＩを具える装置又はシステムを提供する。前記アダプタを、前記ＵＩのメニューオプションを動的に配列するように構成し、これにより、ユーザが前記オプション間のナビゲートにおいて消費しなければならない時間を減少する。ここで使用した「動的に」又は「動的」は、ユーザがメニュー再配列又は再プログラムオプションを選択しなければならないことなしに、前記ＵＩの以前の動作的使用中に決定された過去の活動のあるユーザパターンに応じてオプションを再配置することを意味するいくつかの他の実施形態によれば、前記ユーザパターンを、ある種のユーザ履歴又はプロファイルにおいて最も一般的に記録する。複数のページを具えるＧＵＩにおいて、この目的を、一実施形態によれば、前記メニューオプションのうち特定のものを、前記複数のページの特定のものに動的に割り当てることによって達成する。本発明は、異なった文脈内で特定の利点を有する。例えば、ＣＥ設備のユーザフレンドリーさは、ユーザが、特に、ビデオ、オーディオ又はマルチメディアに関する該ＣＥ設備の制御中、この制御の様子はこの娯楽を楽しむことを妨害するため、メニューナビゲーションについて心配しないですむ場合、きわめて高まる。
【０００７】
他の例として、ユーザの装置にダウンロードされたような電子番組ガイド（ＥＰＧ）のグラフィカル表現は、本発明を使用することによって、よりユーザフレンドリーになる。ＥＰＧは、代表的に、メニューオプションを、チャネル表示と、チャネルごと、又は、タイムスロットごとに利用可能な内容情報の形式とを含む格子状外観において見せ、ユーザによる簡単な活動による記録又は選局を可能にする。最も頻繁に使用されたメニューオプションのスコアボードにおいて高いスコアの前記チャネル、タイムスロット及び／又は内容形式を、例えば、第１パネルにおいて高スコアオプションのグラフィカル配置を与え、他のパネルにおいて慣例的なＥＰＧを与えることによって、ユーザナビゲーションを減少するように配置する。チャネルザッピング、すなわち、比較的高い程度においてチャネルを変更することを、好適には、前記手順において無視し、カスタマイズされたＥＰＧ表現を形成し、前記スコアに影響しないようにする。
【０００８】
他の例として、インターネットにおけるポータルをカスタマイズし、個々のユーザに、彼／彼女のユーザ履歴又はプロファイルから得られたような彼／彼女の好みへの迅速なアクセスを与えるようにすることができる。
【０００９】
好適実施形態の詳細な説明
図１は、本発明を使用することができる装置又はシステムを示す。前記装置はＧＵＩを表示するディスプレイ１を含む。前記ディスプレイは、液晶ディスプレイ（ＬＣＤ）又は何か他の好適なディスプレイ装置を具える。前記装置は、データプロセッサ又はマイクロコントローラ２と、揮発性でも不揮発性でもよく、データ及び／又は制御ソフトウェアを含むメモリ３とを含む。複数のメモリ装置があってもよい。例えば、揮発性メモリが、ユーザによって入力されたデータを含んでもよく、不揮発性メモリが、制御ソフトウェアを含んでもよい。ユーザ入力４は、ボタン（ハードキー又はソフトキー）、ポインタ装置、又は何か他の適切なモードを経て生じてもよい。代わりに、又は加えて、ユーザ入力を、ディスプレイ１の接触感知機能を経て達成してもよい。前記装置は、制御出力部５のような出力部を有する。出力部５は、ＣＥ設備、例えば、テレビジョン受像機、ビデオレコーダ、ＤＶＤプレイヤー及び／又は他の装置の遠隔制御用赤外線（ＩＲ）又は無線周波数（ＲＦ）出力部であってもよい。出力部５は、ある他のデータプロセッサ又はサーバからデータをダウンロード又はこれらへデータをアップロードする有線又は無線機能を含んでもよい。出力部５は、ＩＲ送信機及びダウンロード用ケーブルの挿入用ソケットのような、複数の構成要素を含んでもよい。
【００１０】
図２は、本発明のインタフェースを使用することができる装置１０１の図である。装置１０１は、接触感知ＬＣＤスクリーン１０２と、いくつかの作動可能機械式ボタン１０３及び１０４とを含むリモートコントロール部を具える前記スクリーンに表示されたボタンと、前記機械式ボタンとの間の機能の分割は、前記装置の意図した使用の必要性に従って決定され、本発明の範囲外である。どのような場合においても、表示されたものでも機械式のものでも少なくとも１つのボタンは、ＧＵＩのページ間の切り替えを示す。
【００１１】
前記スクリーンは、ＧＵＩを表示する。前記ＧＵＩは、ページに分割されたメニューオプションを含む。前記メニューオプションを、ボタン又はアイコンの形態において、又は他の好適な表示フォーマットにおいて表示してもよい。一般的に、この用途において、これらのメニューオプション形式のいずれか１つに関係する場合、すべてを可能な選択肢として意味する。ここで使用するメニューオプションという用語を、どのような形式の選択可能な対話項目も含むとして理解すべきである。
【００１２】
この例におけるＩＲ及び何か他の出力部は、図２の眺めにおいて見えない側の面にある。フィリップスエレクトロニクスによるＰＲＯＮＴＯ（商標）のようなリモートコントロール部は、ほぼ図２の外観を有してもよい。図２のリモート用メモリ３及びプロセッサ２は、通常は内蔵され、したがって、一般的には外部からは見えない。
【００１３】
図３は、前記好適実施形態によるＧＵＩを形成する手順の一部を示す。この部分は、ユーザ履歴の形成に関する。２０１において、カウンタを初期化する。前記カウンタを、個々のボタンに関する個々の値を有するアレイとしてもよい。２０２において、試験を実行し、いずれかのスクリーンボタンが押されたかどうかを決定する。スクリーンボタンが押されていない場合、このような押下を検知する試験を続ける。スクリーンボタンが押されていた場合、２０３において、該ボタンに関する個々のカウンタを増分する。
【００１４】
機械式ボタンが何回押されたかを憶えておく必要はなにもないかもしれないが、当業者は、本発明の方法を容易に拡張し、機械式（物理的）ボタンと表示された（ソフト）ボタンとの間の機能の割り当てを、ユーザ履歴に従って変化させてもよい。このような拡張は、前記グラフィカルユーザインタフェース内に、前記機械式ボタンに関する変化した機能のある表示、例えば、これらのボタンを指し示す矢印、又はバックライトパターンのような表示を含めることを含んでもよい。
【００１５】
２０４において、メニューオプションのページへの割り当てを更新するかどうかを試験する。この割り当てを更新し続けることは、メニューオプションの一定の動きがユーザを当惑させるため、望ましくないかもしれない。当業者は、更新時間を選択する任意の数の異なった試行錯誤を考案してもよい。例は、前記装置に電力を供給した場合、１時間、１週間又は１ヶ月のような、予め決められた時間間隔後、前記ボタンの使用のカウント値が、どのボタンがより重要なもので、どのボタンがそうでないかに関して統計的に適切な結論を引き出すことを考慮に入れる場合、等を含む。好適には、ユーザが現在のボタン配置に満足しており、ボタンを動き回らせ続けたくない場合、ボタンの再配置をターンオフするオプションがあるべきである。割り当てを更新するときでない場合、制御はボックス２０２に戻る。割り当てを更新するときの場合、ボタンをページに、前記ユーザプロファイルに従って割り当てる。例えば、これらのカウンタ値によって示されるように最も頻繁に使用されたボタンをクラスタ化し、トップページに割り当てる。
【００１６】
上記手順を、簡単なカウントメカニズムによって説明したが、ユーザ履歴を確立するより洗練された人工知能タイプの技術を使用してもよい。ユーザ履歴を編集する人工知能技術は、Ｄ．ビルサス及びＭ．パザッニ「学習見込みユーザモデル」１９９７年５月１４日において説明されている。この文献は、例えば、ｈｔｔｐ：／／ｗｗｗ．ｄｋｆｉ．ｕｉｎ−ｓｂ．ｄｅ／￣ｂａｕｅｒ／ｕｍ−ｗｓ／Ｆｉｎａｌ−Ｖｅｒｓｉｏｎｓ／Ｂｉｌｌｓｕｓ／ＰｒｏｂＵｓｅｒＭｏｄｅｌｓ．ｈｔｍｌにおいて利用できる。前記好適実施形態の簡単なメカニズムは、計算パワー及びメモリがあまり必要でないため、テレビジョンリモートコントロール部のような消費者装置に関して、通常は好適である。
【００１７】
図３の手順において、同じ制御内容に関する制御機能に対応するボタンを、グループとして取り扱ってもよく、これらは、これらに割り当てられた単一のカウンタを有してもよい。例えば、数字ＴＶチャネルボタンを異なったページに割り当てた場合、不便である。したがって、これらを、好適にはすべて１つのボタンとして取り扱い、すべてを同じページに、好適には、これらの結合した使用頻度に基づいて、一定の配置において割り当てる。
【００１８】
設計者は、純粋な使用頻度の考慮以外に、ボタンのページへの割り当てを変えるのに望ましい他の試行錯誤を考案してもよい。例えば、本発明によるＧＵＩを有する電話機において、自動的に９１１をダイヤルするボタンを、めったに使用されなくても、常にトップページ上においてもよい。
【００１９】
図４は、ボックス２０５を、より詳細に説明する。最初に、個々の内部ボタン表現を、個々のカウンタ値によってリスト中に整列する。好適には、前記整列を、カウントを減少させることによるものとし、最も頻繁に使用されたボタンが、前記リストのトップに現れるようにする。次に、３０２において、前記リストを、各々最大Ｎ項目を有するＭ部分に分割し、ここでＮを、前記スクリーン上で便利に適合することができるボタンの数とし、Ｍを、前記ＧＵＩにおいて利用可能なページの数とする。次に、グループ化されたボタンのいずれかがスクリーンに適合しない場合、３０３において、前記ボタンを前記ページにおいて再配置し、これらが適合するようにしなければならないかもしれない。代わりに、前記ボタンを、カウントに関してグループ化しない場合、これらを、このとき、なにか予め決められたグループ化にしたがって再配置してもよい。代わりに、前記ボタンのいくつかが、前記ディスプレイにおいて異なったサイズを有する場合、前記ページのいくつかは、異なった数のボタンを有してもよく、又はボタンをサイズ変更することができる。
【００２０】
同じリモート部を、家族のような複数の個々のユーザによって使用してもよい。各々のユーザは、ボタン配置に関して異なった好みを有するかもしれない。あるユーザは、走査キーを使用してチャネルを切り替えていくかもしれず、他のユーザは、数字チャネルキーを使用するかもしれない。あるユーザは、ＶＣＲを頻繁に使用するかもしれず、他のユーザは、めったに使用しないかもしれない。あるユーザは、ＰＩＰボタンを頻繁に使用するかもしれず。他のユーザは使用しないかもしれない。
【００２１】
好適には、前記リモート部は、ユーザ毎の異なったボタン構成を有する。したがって、好適には、現在のユーザを識別するあるメカニズムが存在する。このメカニズムを、前記ＧＵＩのトップページにおけるボタン、又は、例えば、声紋又は指紋の生物測定システムのような外部識別装置、又は、ユーザ個人識別番号（ＰＩＮ）としてもよい。通常、家電において使用するリモート部は、いくつかの他の装置より低いレベルのセキュリティを必要とする。例えば、ＰＤＡ又は携帯電話機は、セキュリティの侵害の結果がより厳しいため、より高いセキュリティを必要とするかもしれない。低レベルのセキュリティの例は、１ビットＰＩＮである。
【００２２】
本発明によるユーザ履歴を、通常、メモリ、例えば、図１又は２の装置の参照符３において格納する。前記ユーザ履歴を格納するメモリを、揮発性としても、不揮発性としてもよい。前記メモリが揮発性の場合、前記ユーザ履歴を、ＰＣのような不揮発性メモリを有する装置にアップロードする準備をしてもよい。例えば、図２のように、アップロードするＰＣにケーブルを接続するソケットをリモート部に設けることができる。このような場合において、ソフトウェアを、前記アップロードを受け入れるＰＣにおいて準備すべきである。
【００２３】
図３及び４の手順を実行するソフトウェアを、図１の装置のメモリ３において同様に格納する。前記ソフトウェアを、好適には、不揮発性メモリに格納する。代わりに、前記手順を、前記装置内のゲートアレイのような専用ハードウェアにおいて実行してもよい。
【００２４】
図５は、本発明と共に使用するサーバアーキテクチャを示す。サーバ５０１を、５０３のような装置におけるＧＵＩの動的アップデートを実行するのに適合させる。サーバ５０１は、図３及び４のステップを実行するのに適合したソフトウェア又はハードウェアを含んでもよい。装置５０３を、図１及び２の参照と共に考察したどのような形式のものとしてもよい。前記サーバは、前記装置と、有線であっても無線であってもよいネットワーク接続５０２、５０４を経て通信する。無線接続５０４は、図示しない他の装置５０３と通信してもよい。前記ネットワーク接続は、インターネット、又は、ＬＡＮ又はホームネットワークのような内部接続にわたってもよい。サーバ５０１及び装置５０３は、好適には、図１に示すようなローカルメモリや、いくつかの入力及び出力装置をすべて含む。
【００２５】
この文脈内で、上述した継続出願の米国特許出願第０９／４３４１５５号を参照する。この特許文献は、収納部からの予め規定された制御構成の検索を開始するリモートコントロール装置に関する。例えば、基準又はデフォルト制御モードをバックアップし、ユーザが多すぎる努力なしで基準構成に常に戻れるようにする。このデフォルト又は基準モードを、製造者又は小売業者によって前記リモート部に格納するか、又は、このモードは、後に、前記リモート部によって開始された通信手順において望まれるときに検索するために、前記装置から外部収納部、例えばユーザのＰＣにダウンロードされるユーザプログラム構成を具える。代わりに、または補助的に、制御すべき装置は、該装置それ自身の制御構成用の収納部として働く。前記リモート部は、必要なときに、前記装置から前記構成を検索する。この方法において、前記リモート部は、高度にユーザフレンドリーで、真に万能になり、近くの設備に対する可能性のインタフェースとして役に立つ。
【００２６】
ここで、本発明において、前記ユーザプロファイル自身を、制御すべき装置から、又は、例えばホームサーバからダウンロード可能な制御構成の構成要素にすることができる。特定のユーザによる前記リモート部の動作的使用に基づくユーザプロファイル情報は、この特定のユーザによる使用に関する前記ＧＵＩにおけるメニューオプションの分配を決定する。このプロファイルが、装置、装置のクラスタ、又はホームネットワーク全体のダウンロード可能制御構成の不可欠な部分を形成することによって、ユーザフレンドリーさは、個々のユーザが考慮されるため、向上する。したがって、携帯型の装置は、オンボードカウンタを必要としないかもしれない。カウント機能及びページの構成を、前記サーバにおいて、前記サーバにおいて記録されたカウンタ値に基づいて行うことができる。次に、再構成されたページ又は再構成に関する制御コードを、前記装置に送り返す。
【００２７】
図３及び４の手順を動作するとき、プロセッサ２又はサーバ５０１は、前記ＧＵＩを再構成するアダプタとして機能する。
【００２８】
携帯型リモートコントロール装置に関して上述したことは、異なった状況、すなわちウェブサイト用ＧＵＩの状況においても使用できる。ユーザがウェブに接続されるとき主なスタートするサイトであるワールドワイドウェブ上のサイトを考える。このようなサイトは、一般的に、「ポータル」又は「ゲートウェイ」と呼ばれる。このようなポータルの例は、Ｙａｈｏｏ、Ｅｘｃｉｔｅ、ＡＯＬ及びＬｙｃｏｓである。代表的に、このようなサイトは、種々のカテゴリの複数のサービスを提供する。前記サーバスは、メニュー、例えば、メインメニューにおける各オプションの下にあるオプションの階層を有する線形メニューにおいて配置されたアイコン又はクリック可能リンクとして表される。個々のユーザは、代表的に、前記サービスのうちの特定のものにのみ、そのなかでも、特定のサブカテゴリにのみ興味がある。例えば、特定のユーザは、主に、「本」、「ハードウェアツール」、「科学」、「自然」及び「おもちゃ」に興味があるが、「株」、「映画」、「政治」には興味がない。「自然」の下で、ユーザは、特に、「海獣」に興味がある。「おもちゃ」の下で、ユーザは、主に、「鉄道模型」において、カテゴリ「Ｏスケールエンジンモデル」においてのみ興味がある。この特定のユーザの前記ポータルサイトを提供するサーバとの対話履歴に基づいて、前記サーバは、前記ポータルの個別化された表現を、前記階層的メニューにおける前記アイコン又はリンクを、この特定のユーザが、彼／彼女が最も頻繁に使用したカテゴリ又はサブカテゴリに達する間のナビゲーションの労力が減少するように配置することによって形成する。例えば、関連するプルダウンメニューにおけるサブカテゴリを、この特定のユーザが最も頻繁に使用した順において配置する。前記ポータル又はホームページ、又はこれらの一部を、前記サーバによって供給される、前記ユーザのプロファイル又はユーザ履歴に基づいた適切な部分（広告バナー、ハイパーリンクの集合、装飾の様子、等）のキットから、ユーザごとに個別にカスタマイズする。前記プロファイルは、その可能性及び構成を識別するアクセスクライアント装置からの情報も含んでもよい。この文脈内で、参照によってここに含まれる１９９７年１月１７日に出願されたＭｅｈｒａｎ　Ｍｏｓｈｆｅｇｈｉ、Ｊｕｎ　Ｗａｎｇ、Ｓｔｅｐｈｅｎ　Ｗｏｎｇ及びＹｕａｎ−Ｐｉｎ　Ｙｕの米国特許出願番号０８／７８５４５９号、「病院インターネットウェブサイトを個別化する方法」が参考になる。この特許文書は、ウェブサーバがウェブブラウザによってネットワークを経てアクセス可能であり、推定された必要性、宣言された、又は記録された興味のある話題、情報へのアクセス権、及び、ユーザの環境を、ユーザのウェブブラウザにウェブページを提示する際に考慮に入れるシステムに関する。ウェブページを、施設又は患者とのユーザの関係、ユーザの機能又は仕事、及び、情報アクセス特権に基づいて動的に形成する。さらに、前記ウェブページを、ユーザのコンピュータの能力、コンピュータバンド幅接続、表示特性、ブラウザ能力、等に基づいて動的に形成する。これを達成するために、前記ウェブサーバに、前記ユーザ及びユーザの環境についての情報を供給しなければならない。この情報を、ウェブフォーム、要求するクライアントのＩＰアドレスの自動検知、サーバ−ブラウザ通信、スマートカード及び／又はアクティブバッジによって得ることができる。ユーザ優先権、ユーザの物理的及びコンピュータ環境、及び、ユーセージプロファイルについての情報を、前記サーバにおいて格納する。前記サーバは、この情報をすべて使用し、個別化された内容を発生することができる。
【００２９】
本発明を、電子商取引に関するウェブサイトにも使用することができる。例えば、前記サイトは、ユーザが種々のカテゴリの本又は音楽を通して閲覧することを可能にし、そのタイトル及び目録情報を、例えば、より高いレベルのカテゴリが複数のサブカテゴリを有する階層的方法において構成する。前記サイトを、前記情報を得るのに必要なユーザ対話の数より容易にアクセス可能なユーザの好きなカテゴリを有することによって、個別化する。再び、これを、ユーザプロファイリング又はユーザ履歴によって達成し、好適には、前記ＧＵＩを変更し、よりよいサービスを提供した後にユーザに通知する
【００３０】
本開示を読むことによって、他の変更が、当業者には明らかになるであろう。これらのような変更は、グラフィカルユーザインタフェースの設計、製造及び仕様において既知で、既にここで説明した特徴の代わり、又はそれに加えて使用することができる他の特徴を含んでもよい。請求項を、本願において、特徴の特定の組み合わせに対して表現したが、本願の開示の範囲は、ここで明示的に又は暗示的に開示したどの新奇の特徴又は特徴の新奇の組み合わせ、又はこれらのどのような一般化も、本発明を行うのと同じ技術的問題のいずれか又はすべてを軽減してもしなくても含むことを理解すべきである。本願人は、これにより、本願又はそれから得られるなにか他の出願の出願遂行中、これらのような特徴に対して新たな請求項を述べることができることを指摘する。
【００３１】
ここで使用した単語「具える」を、追加の要素を除外するとして考えるべきではない。ここで使用した単数冠詞を、複数の要素を除外するとして考えるべきではない。
【図面の簡単な説明】
【図１】本発明における装置の図である。
【図２】本発明における装置の図である。
【図３】本発明におけるＧＵＩを形成する手順を説明する流れ図である。
【図４】本発明におけるＧＵＩを形成する手順を説明する流れ図である。
【図５】本発明と共に使用するサーバアーキテクチャの図である。
【国際公開パンフレット】
2004503857.tif 000002
2004503857.tif 000003
2004503857.tif 000004
2004503857.tif 000005
2004503857.tif 000006
2004503857.tif 000007
2004503857.tif 000008
2004503857.tif 000009
2004503857.tif 000010
2004503857.tif 000011
2004503857.tif 000012
2004503857.tif 000013
2004503857.tif 000014
2004503857.tif 000015
2004503857.tif 000016
2004503857.tif 000017
【国際公開パンフレット（コレクトバージョン）】
2004503857.tif 000018
【国際公開パンフレット（コレクトバージョン）】
2004503857.tif 000019
【国際調査報告】
2004503857.tif 000020
2004503857.tif 000021
2004503857.tif 000022